(57)【特許請求の範囲】
【請求項１】
主催者から購入した走行体の投票券の転売登録を行うための転売投票券情報を送信する転売投票券情報送信手段と、
上記転売投票券情報送信手段から送信された上記転売投票券情報を記憶することで、投票券の転売登録を行う記憶手段と、
複数の走行体の走行位置とともに、該各走行体に対してそれぞれ固有に付された各走行体固有情報を検出する走行体検出手段と、
上記走行体検出手段で検出された各走行体の走行位置及び走行体固有情報とともに、上記記憶手段に記憶されている転売投票券情報を送信する送信手段と、
上記走行体が所定位置まで走行する間に、上記転売登録がされている投票券のうち、購入を希望する投票券に対する購入希望金額を送信する購入希望金額送信手段と、
上記走行体が所定位置まで走行するまでの間、上記購入希望金額送信手段を介して送信される上記購入希望金額の取り込みを行い、この取り込んだ上記購入希望金額と、この購入が希望されている投票券の払い戻し予想金額とに基づいて、上記転売登録がされている投票券の転売価格をリアルタイムに計算し、この転売価格情報を送信する転売価格計算手段と、
上記走行体の走行路を表示手段に表示し、上記送信手段から受信した上記各走行体の走行位置及び走行体固有情報に基づいて、上記各走行体の走行位置に対応する上記走行路上の表示位置に該各走行体の走行位置を示す表示を行うとともに、上記送信手段から受信した上記転売投票券情報に基づいて、上記表示手段に、上記転売登録のなされている投票券を示す表示を行い、上記転売価格計算手段から受信した転売価格情報を上記表示手段に表示する表示制御手段と、
上記転売価格計算手段により最終的に計算された転売価格を、その投票券を転売するユーザ及びその投票券を購入したユーザに対して通知する通知手段と
を有する投票券転売システム。
【請求項２】
上記複数の走行体のうち、一つ或いは複数の所望の走行体を指定する走行体指定手段を有し、
上記送信手段は、上記走行体検出手段で検出された各走行体の走行位置及び走行体固有情報のうち、少なくとも上記走行体指定手段を介して指定された走行体に対応する走行位置及び走行体固有情報、及び上記記憶手段に記憶されている転売投票券情報を送信する
ことを特徴とする請求項1に記載の投票券転売システム。
【請求項３】
上記送信手段は、上記走行体検出手段で検出された各走行体の走行位置及び走行体固有情報のうち、上記走行体指定手段を介して指定された走行体に対応する走行位置及び走行体固有情報とともに、この走行体指定手段を介して指定された走行体から所定の距離的範囲内を走行する走行体の走行位置及び走行体固有情報を送信し、
上記表示制御手段は、上記送信手段から送信される上記指定した走行体に対応する走行位置及び走行体固有情報、及び該指定した走行体から所定の距離的範囲内を走行する走行体の走行位置及び走行体固有情報を受信して、上記指定した走行体の走行位置、及びこの指定した走行体から所定の距離的範囲内を走行する走行体の走行位置をそれぞれ示す表示を行う
ことを特徴とする請求項1に記載の投票券転売システム。
【請求項４】
上記送信手段は、上記走行体検出手段で検出された走行体の上記走行体固有情報に対応する該走行体の画像、及び走行体の走行路の画像を形成し、この走行体及び走行路の画像を上記走行位置とともに送信し、又は上記走行体指定手段で指定された走行体の上記走行体固有情報に対応する該走行体の画像及び走行体の走行路の画像を形成し、この走行体及び走行路の画像を上記走行位置とともに送信し、或いは上記走行体指定手段で指定された走行体の上記走行体固有情報に対応する該走行体の画像、及び上記指定された走行体から所定の距離的範囲内を走行する走行体の上記走行体固有情報に対応する該走行体の画像とともに各走行体の走行路の画像を形成し、これら各走行体の画像及び走行路の画像を上記各走行位置とともに送信し、
上記表示制御手段は、上記送信手段から受信した上記走行路の画像を上記表示手段に表示するとともに、上記走行体検出手段で検出された走行体の走行位置に対応する上記走行路上の表示位置に、該走行体検出手段で検出された走行体の画像を表示し、又は上記送信手段から受信した上記走行路の画像を上記表示手段に表示するとともに、上記走行体指定手段で指定された走行体の走行位置に対応する上記走行路上の表示位置に、該指定された走行体の画像を表示し、或いは上記送信手段から受信した上記走行路の画像を上記表示手段に表示するとともに、上記指定した走行体の走行位置、及び上記指定した走行体から所定の距離的範囲内を走行する走行体の走行位置にそれぞれ対応する上記走行路上の表示位置に、該各走行体の画像を表示する
ことを特徴とする請求項1に記載の投票券転売システム。
【請求項５】
上記表示制御手段は、上記走行体の走行路の画像を形成して上記表示手段に表示するとともに、上記走行体検出手段で検出された走行体の走行体固有情報に基づいて該検出された走行体の画像を形成し、この走行体の画像を上記送信手段から受信した走行位置に対応する上記走行路上の表示位置に表示し、又は上記送信手段から受信した上記指定した走行体の走行体固有情報に基づいて該指定した走行体の画像を形成し、この走行体の画像を上記送信手段から受信した走行位置に対応する上記走行路上の表示位置に表示し、或いは上記走行体の走行路の画像を形成して上記表示手段に表示するとともに、上記送信手段から受信した上記指定した走行体の走行体固有情報に基づいて該指定した走行体の画像、及び上記指定した走行体から所定の距離的範囲内を走行する走行体の走行体固有情報に基づいて該走行体の画像を形成し、これら各走行体の画像を上記送信手段から受信した各走行体の走行位置に対応する上記走行路上の表示位置に表示する
ことを特徴とする請求項1に記載の投票券転売システム。
【請求項６】
上記走行体検出手段は、
上記各走行体に取り付けられた上記走行体固有情報の発信を行う発信手段と、
上記走行体の走行路の各走行位置にそれぞれ設けられ、上記走行体が通過する際に、上記走行体に取り付けられた発信手段から発信された上記走行体固有情報を受信し、この受信した走行体固有情報を、走行位置を示す走行位置情報とともに上記送信手段に送信する走行位置検出手段とを有する
ことを特徴とする請求項1に記載の投票券転売システム。
【請求項７】
転売投票券情報送信手段を介して送信された、主催者から購入した走行体の投票券の転売登録を行うための転売投票券情報を、転売登録手段が記憶手段に記憶する転売登録ステップと、
走行体検出手段が、複数の走行体の走行位置とともに、該各走行体に対してそれぞれ固有に付された各走行体固有情報を検出する走行体検出ステップと、
上記走行体検出ステップにおいて上記走行体検出手段で検出された各走行体の走行位置及び走行体固有情報とともに、上記転売登録ステップにおいて上記記憶手段に記憶された転売投票券情報を送信手段が送信する送信ステップと、
上記走行体が所定位置まで走行する間に、購入希望金額送信手段が、上記転売登録がされている投票券のうち、購入を希望する投票券に対する購入希望金額を送信する購入希望金額送信ステップと、
転売価格計算手段が、上記走行体が所定位置まで走行するまでの間、上記購入希望金額送信ステップにおいて送信される上記購入希望金額の取り込みを行い、この取り込んだ上記購入希望金額と、この購入が希望されている投票券の払い戻し予想金額とに基づいて、上記転売登録がされている投票券の転売価格をリアルタイムに計算し、この転売価格情報を送信する転売価格計算ステップと、
表示制御手段が、上記走行体の走行路を表示手段に表示し、上記送信ステップにおいて送信された上記各走行体の走行位置及び走行体固有情報に基づいて、上記各走行体の走行位置に対応する上記走行路上の表示位置に該各走行体の走行位置を示す表示を行うとともに、上記送信ステップにおいて送信された上記転売投票券情報に基づいて、上記表示手段に、上記転売登録のなされている投票券を示す表示を行い、上記転売価格計算ステップにおいて送信された転売価格情報を上記表示手段に表示する表示制御ステップと、
通知手段が、上記転売価格計算ステップにおいて最終的に計算された転売価格を、その投票券を転売するユーザ及びその投票券を購入するユーザに対して通知する通知ステップと
を有する投票券転売方法。
【請求項８】
走行体指定手段が、上記複数の走行体のうち、一つ或いは複数の所望の走行体を指定する走行体指定ステップを有し、
上記送信ステップでは、上記送信手段が、上記走行体検出ステップにおいて検出された各走行体の走行位置及び走行体固有情報のうち、少なくとも上記走行体指定ステップにおいて指定された走行体に対応する走行位置及び走行体固有情報、及び上記記憶手段に記憶されている転売投票券情報を送信する
ことを特徴とする請求項7に記載の投票券転売方法。
【請求項９】
上記送信ステップでは、上記送信手段が、上記走行体検出ステップにおいて検出された各走行体の走行位置及び走行体固有情報のうち、上記走行体指定ステップにおいて指定された走行体に対応する走行位置及び走行体固有情報とともに、この走行体指定ステップにおいて指定された走行体から所定の距離的範囲内を走行する走行体の走行位置及び走行体固有情報を送信し、
上記表示制御ステップでは、上記表示制御手段が、上記送信ステップにおいて送信された上記指定した走行体に対応する走行位置及び走行体固有情報、及び該指定した走行体から所定の距離的範囲内を走行する走行体の走行位置及び走行体固有情報を受信して、上記指定した走行体の走行位置、及びこの指定した走行体から所定の距離的範囲内を走行する走行体の走行位置をそれぞれ示す表示を行う
ことを特徴とする請求項7に記載の投票券転売方法。
【請求項１０】
上記送信ステップでは、上記送信手段が、上記走行体検出ステップで検出された走行体の上記走行体固有情報に対応する該走行体の画像、及び走行体の走行路の画像を形成し、この走行体及び走行路の画像を上記走行位置とともに送信し、又は上記走行体指定ステップで指定された走行体の上記走行体固有情報に対応する該走行体の画像及び走行体の走行路の画像を形成し、この走行体及び走行路の画像を上記走行位置とともに送信し、或いは上記走行体指定ステップで指定された走行体の上記走行体固有情報に対応する該走行体の画像、及び上記指定された走行体から所定の距離的範囲内を走行する走行体の上記走行体固有情報に対応する該走行体の画像とともに各走行体の走行路の画像を形成し、これら各走行体の画像及び走行路の画像を上記各走行位置とともに送信し、
上記表示制御ステップでは、上記表示制御手段が、上記送信ステップにおいて送信された上記走行路の画像を上記表示手段に表示するとともに、上記走行体検出ステップで検出された走行体の走行位置に対応する上記走行路上の表示位置に、該走行体検出ステップで検出された走行体の画像を表示し、又は上記送信ステップにおいて送信された上記走行路の画像を上記表示手段に表示するとともに、上記走行体指定ステップで指定された走行体の走行位置に対応する上記走行路上の表示位置に、該指定された走行体の画像を表示し、或いは上記送信ステップにおいて送信された上記走行路の画像を上記表示手段に表示するとともに、上記指定した走行体の走行位置、及び上記指定した走行体から所定の距離的範囲内を走行する走行体の走行位置にそれぞれ対応する上記走行路上の表示位置に、該各走行体の画像を表示する
ことを特徴とする請求項7に記載の投票券転売方法。
【請求項１１】
上記表示制御ステップでは、上記表示制御手段が、上記走行体の走行路の画像を形成して上記表示手段に表示するとともに、上記走行体検出ステップで検出された走行体の走行体固有情報に基づいて該検出された走行体の画像を形成し、この走行体の画像を上記送信ステップにおいて送信された走行位置に対応する上記走行路上の表示位置に表示し、又は上記送信ステップにおいて送信された上記指定した走行体の走行体固有情報に基づいて該指定した走行体の画像を形成し、この走行体の画像を上記送信ステップにおいて送信された走行位置に対応する上記走行路上の表示位置に表示し、或いは上記走行体の走行路の画像を形成して上記表示手段に表示するとともに、上記送信ステップにおいて送信された上記指定した走行体の走行体固有情報に基づいて該指定した走行体の画像、及び上記指定した走行体から所定の距離的範囲内を走行する走行体の走行体固有情報に基づいて該走行体の画像を形成し、これら各走行体の画像を上記送信ステップにおいて送信された各走行体の走行位置に対応する上記走行路上の表示位置に表示する
ことを特徴とする請求項7に記載の投票券転売方法。
【請求項１２】
上記走行体検出ステップでは、上記走行体検出手段が、
上記各走行体に取り付けられた発信手段から発信された上記走行体固有情報を、上記走行体の走行路の各走行位置にそれぞれ設けられた走行位置検出手段で、上記走行体が通過する際に受信し、この受信した走行体固有情報を、走行位置を示す走行位置情報とともに送信する
ことを特徴とする請求項7に記載の投票券転売方法。
【発明の詳細な説明】
【技術分野】
【０００１】
本発明は、例えば競馬、競輪、競艇、オートレース等のレース中継サービスシステムに適用して好適な走行位置送信システム、及び上記競馬、競輪、競艇、オートレース等の投票券の転売を可能とする投票券転売システム及び投票券転売方法に関する。
【背景技術】
【０００２】
今日において、権限ある主催者が公に開催する競馬、競輪、競艇、オートレース等の公営競技が知られている。このような公営競技では、レースが開始される前に投票券が発売され、各ファンは、競走馬や選手の状態、或いは予想配当等を見ながらレースを検討し、所望の投票券を購入する。
【０００３】
レースの状況は、テレビジョン放送やラジオ放送で放送され、開催地から遠く離れた土地にいるファンでも、このテレビジョン放送やラジオ放送を通じてレース状況やレース結果を知ることができるようになっている。そして、レースが終了すると、主催者側は、そのレースに対する売上金や投票数等に基づいて、最終的な配当金額を計算して払い戻しを行う。
【０００４】
ここで、特開2002-63306号の公開特許公報（特許文献1）において、任意の場所に居ながらにして、投票内容を確認でき、間違いが少なく、且つリアルタイムに予想配当等の最新情報を入手して投票可能なレース投票システムが開示されている。
【０００５】
このレース投票システムは、携帯通信端末と投票管理サーバとを通信回線を介して相互に接続して構成されている。携帯通信端末は、投票管理サーバから送信される投票情報を表示する投票情報表示手段と、表示された投票情報に基づいて投票内容を確定する投票内容確定手段とを備えており、投票管理サーバは、投票情報を記憶する投票情報データベースと、この投票情報を前記携帯通信端末に提供する投票情報提供手段と、確定されたユーザの投票内容を携帯通信端末から受信して、当該投票内容を承認できるか否かを判別する承認判別手段と、承認されたか否かの結果を当該ユーザの携帯通信端末に送信する通信手段とを備えている。
【０００６】
このようなレース投票システムは、携帯通信端末の電波の届く範囲内であればどこからでも投票することができるため利便性の向上を図ることができるうえ、電話投票方式のように聴覚に頼るのではなく、投票情報表示手段で投票内容を目で確認しながら投票を行うことができるため、直接投票や電話投票に比べて投票の確実性の向上を図ることができるようになっている。
【先行技術文献】
【特許文献】
【０００７】
【特許文献１】特開2002-63306号公報（第6頁〜第8頁：図1）
【発明の概要】
【発明が解決しようとする課題】
【０００８】
しかし、テレビジョン放送やラジオ放送のレース中継は、大概の場合、人気となっている競走馬や選手、或いは上位を走行する競走馬や選手を中心として放送される場合が多い。これに対して、レースにおいて投票を行ったファンは、自分の投票した競走馬や選手を中心としてレースを見たいものである。また、各ファン毎に注目する競走馬や選手はそれぞれ異なる。このため、人気や上位の競走馬や選手を中心としたレース中継を行っていては、各ファンをそれぞれ満足させることは困難となる問題があった。
【０００９】
また、近年において、レースを楽しむファンからは、主催者側から正当に購入した投票券の転売を希望する声もある。この投票券の転売を、レース進行に沿ったリアルタイムなかたちで可能とすることができれば、ファンに対して新たな楽しみを提供することができ、投票券の売り上げ向上や活性化にも大きく貢献可能となる。
【００１０】
本発明は上述の課題に鑑みてなされたものであり、各ファン毎に注目する競走馬や選手を中心としたレース中継を行うことができ、また、レース進行に沿ってリアルタイムに投票券の転売を可能とすることができるような投票券転売システム及び投票券転売方法の提供を目的とする。
【課題を解決するための手段】
【００１１】
本発明では、主催者から購入した走行体の投票券の転売を希望するユーザが、転売投票券情報送信手段を介して転売投票券情報を送信する。この転売登録手段は、このユーザから送信された転売投票券情報を、記憶手段に記憶することで、転売を希望する投票券の登録である転売登録を行う。
【００１２】
走行体検出手段が、複数の走行体の走行位置とともに、該各走行体に対してそれぞれ固有に付された各走行体固有情報を検出し、送信手段が、この走行体検出手段で検出された各走行体の走行位置及び走行体固有情報とともに、上記記憶手段に記憶された転売投票券情報を送信する。
【００１３】
表示制御手段は、上記走行体の走行路を表示手段に表示し、上記送信手段から送信された上記各走行体の走行位置及び走行体固有情報に基づいて、上記各走行体の走行位置に対応する上記走行路上の表示位置に該各走行体の走行位置を示す表示を行うとともに、上記転売投票券情報に基づいて、上記転売登録のなされている投票券を示す表示を行う。
【００１４】
転売登録のなされている投票券の購入を希望するユーザは、レース開始前において、或いはレース開始後から上記走行体が所定位置（例えばゴール前ｘm地点）まで走行する間に、購入希望金額送信手段を介して、上記転売登録がされている投票券のうち、購入を希望する投票券に対する購入希望金額を送信する。
【００１５】
転売価格計算手段は、上記走行体が所定位置まで走行するまでの間、上記購入希望金額の取り込みを行い、この取り込んだ上記購入希望金額と、この購入が希望されている投票券の払い戻し予想金額とに基づいて、上記転売登録がされている投票券の転売価格をリアルタイムに計算し、この転売価格情報を送信する。
【００１６】
表示制御手段は、この転売価格情報の表示をも行う。この転売価格情報は、リアルタイムに計算されて配信されるため、表示制御手段で表示される転売価格情報は、レース進行に沿ってリアルタイムで変動することとなる。転売される投票券の購入を希望するユーザは、このリアルタイムで変動する転売価格情報を見ながら購入希望金額を調整して送信することとなる。
【００１７】
上記走行体が所定位置まで走行することで、転売価格計算手段による上記購入希望金額の取り込みが打ち切られる。通知手段は、上記転売価格計算手段において最終的に計算された転売価格を、その投票券を転売するユーザ及びその投票券を購入するユーザに対して通知する。これにより、レース進行に沿ってリアルタイムに投票券の転売を可能とすることができる。
【００１８】
また、本発明では、上記送信手段が、走行体検出手段で検出された各走行体の走行位置及び走行体固有情報のうち、少なくとも走行体指定手段を介して指定された走行体に対応する走行位置及び走行体固有情報、及び上記記憶手段に記憶されている転売投票券情報を送信する。これにより、各ファンは、所望の走行体の走行位置を確認しながら、転売希望のある投票券の購入やその購入希望金額を検討することができる。
【００１９】
また、本発明では、上記送信手段が、上記指定された走行体のみならず、この指定された走行体から所定の距離的範囲内を走行する走行体の走行位置及び走行体固有情報を送信し、上記表示制御手段が、これら各走行体の走行位置をそれぞれ示す表示を行う。これにより、指定した走行体の走行位置、及びこの指定した走行体の周囲に位置する走行体の走行位置をも認識しながら、転売希望のある投票券の購入やその購入希望金額を検討することができる。
【００２０】
また、本発明では、上記送信手段側で、「走行体の走行路の画像」を形成して送信するとともに、「上記指定された走行体の画像」、或いは「上記指定された走行体の画像及び該指定された走行体の周囲に位置する走行体の画像」を形成し、この走行体の画像を該走行体の走行位置とともに送信する。そして、上記表示制御手段側で、この送信手段から送信された走行路の画像を表示するとともに、上記指定した走行体の走行位置、及び該指定した走行体の周囲を走行する走行体の走行位置にそれぞれ対応する上記走行路上の表示位置に、該各走行体の画像を表示する。これにより、表示制御手段側では、送信手段から受信した各画像をそのまま表示するだけのため、表示制御手段側における画像処理等の負担を大幅に軽減することができる。また、画像により、より分かり易いかたちで走行体の走行位置を表示することができ、各ファンは、この画像に基づいて、転売希望のある投票券の購入やその購入希望金額を検討することができる。
【００２１】
また、本発明では、上記表示制御手段側で、上記走行体の走行路の画像を形成して上記表示手段に表示するとともに、上記送信手段から受信した上記指定した走行体の走行体固有情報に基づいて該指定した走行体の画像を形成し、この走行体の画像を上記送信手段から受信した走行位置に対応する上記走行路上の表示位置に表示する。
【００２２】
或いは、上記表示制御手段側で、上記走行体の走行路の画像を形成して上記表示手段に表示するとともに、上記送信手段から受信した上記指定した走行体の走行体固有情報に基づいて該指定した走行体の画像、及び上記指定した走行体から所定の距離的範囲内を走行する走行体の走行体固有情報に基づいて該走行体の画像を形成し、これら各走行体の画像を上記送信手段から受信した各走行体の走行位置に対応する上記走行路上の表示位置に表示する。この走行路及び走行体の画像を表示することで、より分かり易いかたちで走行体の走行位置を表示することができ、各ファンは、この画像に基づいて、転売希望のある投票券の購入やその購入希望金額を検討することができる。
【００２３】
また、本発明では、上記走行体検出手段が、上記各走行体に取り付けられた発信手段から発信される上記走行体固有情報を、上記走行体の走行路の各走行位置にそれぞれ設けられ、上記走行体が通過する際に、上記走行体に取り付けられた発信手段から発信される上記走行体固有情報を受信する走行位置検出手段で受信し、この受信した走行体固有情報を、走行位置を示す走行位置情報とともに上記送信手段に送信する。これにより、各走行位置検出手段が設けられた位置を走行体が通過することで、該各走行体の走行位置を正確に検出することができる。このため、各ファンに対して、各走行体の正確な位置取りをリアルタイムで送信可能とすることができる。
【００２４】
なお、上記発明では、複数の走行体のうち、一つ或いは複数の所望の走行体を走行体指定手段を介して指定すると、送信手段が、走行体検出手段で検出された各走行体の走行位置及び走行体固有情報のうち、少なくとも上記走行体指定手段を介して指定された走行体に対応する走行位置及び走行体固有情報を送信することが好ましい。そして、この送信手段から送信される上記指定を行った走行体の走行位置及び走行体固有情報を表示制御手段が受信し、該指定した走行体の走行位置や走行体固有情報を示す表示を行うことが好ましい。
【００２５】
これにより、各ファンがそれぞれ希望する走行体の走行位置を送信することができるため、各ファン毎に注目する走行体が異なる場合でも、各ファンをそれぞれ満足させることが可能なレース中継を可能とすることができる。なお、上記走行体の走行位置の表示に際し、走行位置の変位等から算出されるラップタイム等の情報も併せて表示してもよい。
【００２６】
また、本発明は、上記送信手段が、上記指定された走行体のみならず、この指定された走行体から所定の距離的範囲内を走行する走行体の走行位置及び走行体固有情報を送信し、上記表示制御手段が、これら各走行体の走行位置をそれぞれ示す表示を行うことが好ましい。これにより、各ファンが指定した走行体の走行位置を中心として、この指定した走行体の周囲に位置する走行体の走行位置をも表示することができるため、各ファン毎に注目する走行体を中心としたレース展開を認識させることができる。
【００２７】
また、本発明は、上記送信手段側で、「走行体の走行路の画像」を形成して送信するとともに、「上記指定された走行体の画像」、或いは「上記指定された走行体の画像及び該指定された走行体の周囲に位置する走行体の画像」を形成し、この走行体の画像を該走行体の走行位置とともに送信することが好ましい。そして、上記表示制御手段側で、この送信手段から送信された走行路の画像を表示するとともに、上記指定した走行体の走行位置、及び該指定した走行体の周囲を走行する走行体の走行位置にそれぞれ対応する上記走行路上の表示位置に、該各走行体の画像を表示することが好ましい。これにより、表示制御手段側では、送信手段から受信した各画像をそのまま表示するだけのため、表示制御手段側における画像処理等の負担を大幅に軽減することができる。また、画像により、より分かり易いかたちで走行体の走行位置を表示することができる。
【００２８】
また、本発明は、上記表示制御手段側で、上記走行体の走行路の画像を形成して上記表示手段に表示するとともに、上記送信手段から受信した上記指定した走行体の走行体固有情報に基づいて該指定した走行体の画像を形成し、この走行体の画像を上記送信手段から受信した走行位置に対応する上記走行路上の表示位置に表示することが好ましい。
【００２９】
或いは、上記表示制御手段側で、上記走行体の走行路の画像を形成して上記表示手段に表示するとともに、上記送信手段から受信した上記指定した走行体の走行体固有情報に基づいて該指定した走行体の画像、及び上記指定した走行体から所定の距離的範囲内を走行する走行体の走行体固有情報に基づいて該走行体の画像を形成し、これら各走行体の画像を上記送信手段から受信した各走行体の走行位置に対応する上記走行路上の表示位置に表示することが好ましい。この走行路及び走行体の画像を表示することで、より分かり易いかたちで走行体の走行位置を表示することができる。
【００３０】
また、本発明は、上記走行体検出手段が、上記各走行体に取り付けられた発信手段から発信される上記走行体固有情報を、上記走行体の走行路の各走行位置にそれぞれ設けられ、上記走行体が通過する際に、上記走行体に取り付けられた発信手段から発信される上記走行体固有情報を受信する走行位置検出手段で受信し、この受信した走行体固有情報を、走行位置を示す走行位置情報とともに上記送信手段に送信することが好ましい。これにより、各走行位置検出手段が設けられた位置を走行体が通過することで、該各走行体の走行位置を正確に検出することができる。
【図面の簡単な説明】
【００３１】
【図１】本発明を適用した実施形態に係る馬券転売システムのブロック図である。
【図２】実施形態の馬券転売システムに用いられる走行位置送信システムの構成を示す図である。
【図３】実施形態の馬券転売システムに用いられる走行位置送信システムの設置例を示す図である。
【図４】実施形態の馬券転売システムの走行位置送信システムに設けられている固有番号発信機のブロック図である。
【図５】実施形態の馬券転売システムの走行位置送信システムに設けられている信号受信機の計測処理部のブロック図である。
【図６】実施形態の馬券転売システムにおいて、端末装置側で表示される、レース進行に沿って変動する転売価格を説明するための図である。
【図７】実施形態の馬券転売システムにおいて、端末装置側で表示される競走馬の画像を説明するための図である。
【発明を実施するための形態】
【００３２】
本発明の実施形態について、図面を参照しつつ説明する。本実施形態では、本発明を競馬の投票券（馬券）の転売を行うシステムに適用した場合を例に説明する。
【００３３】
（馬券転売システム構成）
この本実施態に係る馬券転売システムは、図1に示すように競走馬の走行位置を検出してリアルタイムに送信する走行位置送信システム1と、各ユーザの端末装置2と、当該システム側のサーバ装置3と、各ユーザが利用する銀行の銀行サーバ装置4とを、インターネットや無線通信ネットワーク等の所定のネットワーク5を介して相互に接続することで構成されている。
【００３４】
各ユーザの端末装置2としては、パーソナルコンピュータ装置、携帯電話機、PHS電話機（PHS：Personal Handyphone System）、PDA装置（PDA：Personal Digital Assistant）等を用いることができる。
【００３５】
当該システム側のサーバ装置3は、例えば、WWW（World Wide Web）等のドキュメントシステムにおいて、HTML（HyperText Markup Language）ファイルや画像ファイル、音楽ファイルなどの情報送信を行うサーバコンピュータ或いはその機能を持ったソフトウェアによって実現されるWebサーバであり、HTML文書や画像などの情報を蓄積しておき、Webブラウザなどのクライアントソフトウェアの要求に応じて、インターネットなどのIP網を通じて、これらの情報を送信する。また、このサーバ装置3は、データベース6を有しており、このデータベース6に、転売登録された馬券の情報や、馬券の転売を行うユーザ、転売される馬券を購入するユーザの住所、氏名、電子メールアドレス、銀行口座番号等のユーザ情報を記憶している。
【００３６】
また、後に説明するが、当該システム側のサーバ装置3は、走行位置送信システムから送信された競走馬の走行位置を取り込み、これを各ユーザの端末装置2にリアルタイムで送信するようになっている。また、転売価格計算部7を有しており、この転売価格計算部7で、転売登録のなされている馬券の転売価格をリアルタイムで計算し、この転売価格情報も各ユーザの端末装置2に送信するようになっている。
【００３７】
銀行サーバ装置4もデータベース8を有しており、このデータベース8に、当該銀行に口座を有するユーザの住所、氏名、電子メールアドレス、銀行口座番号等のユーザ情報を記憶している。この銀行サーバ装置4のデータベース8には、当該システム側のサーバ装置3から例えば月末毎等にアクセスされ、各ユーザの口座から当該システム利用料が引き落とし処理されるようになっている。
【００３８】
（走行位置送信システムの構成）
走行位置送信システム1は、図2に示すように競走馬や騎手に取り付けられ、この競走馬に対して付された固有番号信号を発信する固有番号発信機21と、トリガー信号発生機22と、信号受信機23とを有している。
【００３９】
トリガー信号発生機22は、信号発信機22aとトリガー信号送信用のループアンテナ22bとを有し、ループアンテナ22bは走行路の両側に立設したポスト22cの先端部間から地中に埋設するようにしてループ状に架設されている。
【００４０】
なお、ループアンテナはこれ以外にも、ポスト間や地中においてループを描くように敷設することも可能であり、また電磁石や超音波発振機等を用いてトリガー信号を送信するようにしてもよい。すなわち、複数の競走馬が略々同時に測定位置を通過しても、全ての競走馬がトリガー信号を受信できる狭い領域が形成されていればよい。
【００４１】
信号受信機23は、受信用アンテナ23aと計測処理部23bとを有している。受信用アンテナ23aは、トリガー信号発生機22の近傍位置において、走行路を跨いで互いに相対向するかたちで配置されている。
【００４２】
また、このようなトリガー信号発生機22及び信号受信機23は、図3に示すようにスタート地点からゴール地点（G）までの間に、例えば5m間隔や10m間隔等のように所定の間隔毎にそれぞれ設けられている。
【００４３】
トリガー信号発生機22の信号発信機22aは、例えば数百キロヘルツ程度の低周波数のトリガー信号を常時出力し、また、ループアンテナ22bは走行路の各計測位置を横切るようにして配置されており、走行方向には狭い領域においてこのトリガー信号を送信して、競走馬がこのトリガー信号の送信領域を横切ると、この競走馬が携帯している固有番号発信機21がこのトリガー信号を検知して、固有番号信号を送信するようになっている。
【００４４】
図4に固有番号発信機21の回路構成を示す。この図4において、受信用アンテナ30はトリガー信号発生機22からのトリガー信号を受信するようになっており、低周波増幅回路31は、このトリガー信号の周波数帯域の信号を増幅して、読み出し駆動回路32を作動させるようになっている。読み出し駆動回路32にトリガー信号が取り込まれると、シフトレジスタ34を介して固有番号記憶部33から固有番号信号が読み出されるようになっている。そして、このようにして読み出された固有番号信号は、ANDゲート37で高周波発振回路35からの高周波信号と合成され、出力回路36から送信アンテナ38を介して送信されるようになっている。
【００４５】
この送信アンテナ38から送信される固有番号信号は、数メガヘルツ〜数百メガヘルツ、好ましくは数十メガヘルツ乃至数百メガヘルツ程度の高い周波数の帯域を用い、微弱な信号となっている。
【００４６】
なお、固有番号信号の送信周波数帯域としては、数百キロヘルツ乃至それ以下の周波数帯域を用いることも可能である。低周波帯域の信号を用いれば、消費電力が小さい等の利点があるが、高速に固有番号信号の送信及び受信ができず、0．1秒以下の単位での計測は困難であり、しかも同時に多数の固有番号を受信できないこともある。また、ギガヘルツ帯域の信号を用いる場合には、極めて高い精度の計時が可能であるが、指向性が高過ぎるために、受信アンテナで固有番号信号を捕捉できない場合があり、またギガヘルツ帯域の信号を発生させるためには、消費電力も大きくなる。
【００４７】
数十乃至数百メガヘルツ、例えば60メガヘルツ程度の周波数帯域を用いれば、0．01秒乃至それ以下の単位の時間計測が可能となり、調教を行う際のラップタイムの計時には0．01秒単位の測定精度があれば十分であり、また指向性も高過ぎることがなく、さらには微弱電波とすることにより、消費エネルギーを最小限に抑制できるために、固有番号発信機21の全体を小型化、軽量化が図られる。もちろん、計測対象となるものによっては、キロヘルツのものやメガヘルツのものを用いることもできる。
【００４８】
信号受信機23の計測処理部23bは、図5に示すようにCPU40と、タイマ41，データ識別部42，計測位置識別部43及びメモリ44を有している。受信用アンテナ23aで固有番号発信機21からの固有番号信号が受信されると、この計測処理部23bは、データ識別部42で固有番号を読み取り、またタイマ41からの計時情報に基づいて固有番号信号の受信時刻を検出し、これらとともに計測位置識別部43からの計測位置識別信号を読み出して、メモリ44に記憶する。このメモリ44に記憶された固有番号，受信時刻及び計測位置識別信号は、図3に示す制御用パーソナルコンピュータ45に入力され、この制御用パーソナルコンピュータ45により、図1に示すネットワーク5を介して当該システム側のサーバ装置3に送信されるようになっている。
【００４９】
（システム動作）
次に、このような構成を有する馬券転売システムのシステム動作を説明する。
（１）ユーザ登録
まず、この実施の形態の馬券転売システムを利用しようとするユーザは、図1に示す自分の端末装置2を当該システム側のサーバ装置3に接続し、システム利用料の課金先となる銀行口座の口座番号、住所、氏名、所望のパスワード等を入力してユーザ登録を行う。このユーザ登録がなされると、当該システム側のサーバ装置3は、そのユーザに対して、当該システムにログインするためのユーザIDを発行するとともに、ユーザから入力された銀行口座の口座番号、住所、氏名、所望のパスワード等のユーザ情報をデータベース6に登録する。これにより、当該システムを利用することが可能となる。
【００５０】
（２）レース中継
まず、この実施の形態の馬券転売システムの場合、レースが開始されると、当該システム側のサーバ装置3から各ユーザの端末装置2に対して、各競走馬の走行位置がリアルタイムで配信されるようになっている。すなわち、レースが開始されると、図2及び図3を用いて説明したように、所定の間隔で走行路に設けられているトリガー信号発生機22の設置位置を各競走馬が通過する際に、このトリガー信号発生機22から送信されるトリガー信号を、各競走馬や各騎手に取り付けられた固有番号発信機21の受信用アンテナ30がそれぞれ受信する。固有番号発信機21は、このトリガー信号を受信すると、各競走馬に対して付された固有番号を示す固有番号信号を送信する。
【００５１】
この各競走馬の固有番号発信機21から送信される固有番号信号は、トリガー信号発生機22と対のかたちで設けられた信号受信機23により受信され、この固有番号信号の受信時刻を示す情報、及び計測位置識別部43から読み出された計測位置識別信号とともに、制御用パーソナルコンピュータ45に入力され、この制御用パーソナルコンピュータ45により、リアルタイムで、図1に示すネットワーク5を介して当該システム側のサーバ装置3に送信される。
【００５２】
当該システム側のサーバ装置3は、各競争馬の固有番号信号及び各固有番号信号の受信時刻を示す情報に基づいて、計測位置識別信号で示される走行位置に対する各競走馬の到達順、及び到達時間差を検出する。また、当該システム側のサーバ装置3は、レースの行われている走行路の画像、及び各競走馬の画像を形成する。そして、上記検出した各競走馬の到達順及び到達時間差、走行位置の変位から算出されるラップタイム等の付加情報を、上記形成した各競走馬の画像に関連付けし、上記計測位置識別信号で示される走行位置、及び走行路の画像とともに、当該システムにログインしている各ユーザの端末装置2に送信する。
【００５３】
各ユーザの端末装置2は、当該システム側のサーバ装置3から送信された走行路の画像を、図7に示すように、表示部に表示するとともに、この走行路上の上記計測位置識別信号で示される走行位置に対応する表示位置に、各競走馬の到達順、到達時間差及び付加情報に基づいて各競走馬の画像や番号、記号等を表示する。なお、画像の表示としては、例えば、3DCG（3D Computer Graphic）による競走馬の画像等を走行順に並べて表示するようにしてもよい。
【００５４】
走行路上における各競争馬の走行位置、走行順、走行時間差、ラップタイム等の付加情報は、上記トリガー信号発生機22の設置位置を各競走馬が通過する毎に検出され、当該システム側のサーバ装置3を介して各ユーザの端末装置2に配信されるため、ユーザの端末装置2にはリアルタイムで各競争馬の走行位置が表示されることとなる。
【００５５】
なお、この例では、当該システム側のサーバ装置3側で各競走馬の画像等を形成し、これを各ユーザの端末装置2に配信することとしたが、これは、当該システム側のサーバ装置3からは走行路上における各競争馬の走行位置、走行順、走行時間差を配信し、これを受信した各ユーザの端末装置側で、各競争馬の画像形成や付加情報算出をして表示するようにしてもよい。すなわち、各競走馬の画像や付加情報はサーバ装置3側で生成して配信してもよいし、端末装置2側で生成して表示するようにしてもよい。
【００５６】
（３）競争馬の指定
ここで、この実施の形態の馬券転売システムの場合、「指定した競争馬」のみの走行位置、或いは「指定した競争馬及びその競走馬の周囲を走行する競争馬」の走行位置を端末装置2側で表示することができる。
【００５７】
この場合、ユーザは自分の端末装置2を当該システム側のサーバ装置3に接続し、「指定した競争馬」のみの走行位置や付加情報等を表示するか、或いは「指定した競争馬及びその競走馬の周囲を走行する競争馬」の走行位置や付加情報等を表示するかを選択するとともに、その指定する競争馬に付されている固有の番号（馬番号）を指定する。
【００５８】
この選択及び指定がなされると、当該システム側のサーバ装置3は、上記信号受信機23から制御用パーソナルコンピュータ45を介して送信された各競争馬の固有番号信号に基づいて、ユーザから指定された馬番号を有する競走馬を検出する。そして、ユーザにより「指定した競争馬」のみの走行位置が指定されている場合には、このユーザにより指定された競争馬の走行位置を、そのユーザの端末装置2に送信し、ユーザにより「指定した競争馬及びその競走馬の周囲を走行する競争馬」の走行位置が指定されている場合には、このユーザにより指定された競争馬の走行位置、及びその周囲を走行する競争馬の走行位置を、ユーザの端末装置2に送信する。
【００５９】
これにより、ユーザの端末装置2の表示部には、ユーザが指定した競争馬の走行位置のみ、或いはユーザが指定した競争馬の走行位置及びこの指定した競争馬の周囲に位置する競争馬の走行位置が表示されることとなる。このため、各ファン毎に注目する競争馬を中心としたレース中継を行うことができる。
【００６０】
（馬券の転売）
（１）馬券の転売登録
次に、この実施の形態の馬券転売システムにおいては、図1に示す競馬の主催者側から正当に馬券を購入したユーザは、購入した馬券の転売を行うことができる。例えば、図1に示すユーザCが、上記購入した馬券の転売を行う場合、このユーザCは、自分の端末装置2を当該システム側のサーバ装置3に接続し、当該システム側のサーバ装置3から発行されたユーザID、及び自分で指定したパスワードに基づいて当該システムにログインし、馬券の転売登録を行う。
【００６１】
具体的には、ユーザCは、この転売登録において、購入した馬券のレース開催地、レース番号、馬券の投票方式、購入した馬券、購入金額の入力を行う。当該システム側のサーバ装置3は、この入力されたレース開催地、レース番号、馬券の投票方式、購入した馬券、購入金額の各情報を転売投票券情報としてデータベース6に登録する。これにより、馬券の転売登録が完了する。
【００６２】
（２）転売登録された馬券の掲示及び競売
次に、このように馬券の転売登録がなされると、当該システム側のサーバ装置3は、転売登録されている馬券に対応するレースの開始前から、当該レース終了までの間（＝馬券の販売が開始され、各競走馬がスタートし、その後ゴールするまでの間）、転売登録された馬券を示す情報を各ユーザの端末装置2に配信して掲示するとともに、この転売登録のなされている馬券の購入希望の受け付けを行う。
【００６３】
具体的には、当該システム側のサーバ装置3は、転売登録されている馬券に対応するレースの開始前からレース中にわたって、上述のようにレース中継を行うための情報（＝上記各競争馬の走行位置等の情報）を各ユーザの端末装置2に送信するとともに、データベース6に転売登録された当該レースの馬券を示す情報を読み出し、これを各ユーザの端末装置2に送信する。これにより、各ユーザの端末装置2の表示部には、当該レース前（例えばパドックの様子等）及びレース中の状況とともに、転売が希望されている馬券を示す情報が表示されることとなる。
【００６４】
この転売が希望されている馬券の購入を希望するユーザは、レース前における競走馬の状態や、レース展開を見ながら的中しそうな馬券を予想し、上記転売が希望されている馬券の中に、この自分が予想した馬券と同じ馬券が含まれているか否かを判別する。そして、ユーザが自分で予想した馬券と同じ馬券が、上記転売が希望されている馬券の中に存在した場合、ユーザは端末装置2を介して、この転売が希望されている馬券の購入希望価格を入力し、これを当該システム側のサーバ装置3に送信する。
【００６５】
この購入希望価格であるが、レースの開始前に主催者側から各馬券の予想配当（オッズ）が発表されているため、各ユーザは、このオッズを目安として購入希望価格の入力を行うこととなるであろう。すなわち、ある馬券の主催者側から発表されているオッズが20倍であった場合、確定的ではないが、この馬券には約2000円の金銭的価値があることとなる。このため、この馬券に2000円よりも高い値をつけてしまうと、当該馬券を購入できたとしても金銭的な損となり、2000円よりも低い値で購入して金銭的に利益がでることとなる。従って、この馬券の購入を希望するユーザは、主催者側から発表されているオッズを、その馬券を購入する際の標準価格として捉え、この標準価格よりも低い、例えば1000円等を上記購入希望価格として入力することが通常であろう。
【００６６】
なお、例えば人気馬や人気騎手の引退レース等では、馬券の配当よりも、馬券そのものが記念となり価値を有する場合がある。このような場合、例え予想配当が2000円であっても、3000円等の予想配当以上の購入希望価格の入力も可能である。すなわち、転売が希望されている馬券に対する購入希望価格は、各ユーザの自由意志に基づいて決定されるものであることを理解されたい。
【００６７】
次に、当該システム側のサーバ装置3は、レースが終了するまでの間、このように各ユーザから送信される購入希望価格の受け付けを行い、図1に示す転売価格計算部7において、この取り込んだ購入希望金額、及びこの購入が希望されている馬券に対して主催者側から発表されている予想配当等に基づいて、所定の演算処理をすることで上記転売登録がされている馬券の転売価格を計算する。そして、この転売価格情報を、各ユーザの端末装置2に送信する。  
各ユーザの端末装置2は、上記レースの状況とともに、転売が希望されている馬券を示す情報、及びこの転売が希望されている馬券の転売価格を表示部に表示する。上記転売価格計算部7で実行される転売価格の計算は、レースが終了するまでの間、リアルタイムに実行される。従って、各ユーザの端末装置2には、レース状況に応じて各ユーザから入力される購入希望金額により刻一刻と変動する馬券の転売価格が表示されることとなる。
【００６８】
図6（a）及び図6（b）に、このようにレース状況に応じて刻一刻と変動する馬券の転売価格が各ユーザの端末装置2の表示部に表示されている様子を示す。この図6（a）及び図6（b）に示す例は、開催地が東京競馬場で第10レースの枠番連勝方式で投票した1枠−2枠の組み合わせを2000円分購入した馬券、及び開催地が東京競馬場で第10レースに出走する10番の馬番の競走馬に単勝方式で100円分投票した馬券…等が転売登録されていることを示している。
【００６９】
そして、上記枠番連勝方式1枠−2枠の組み合わせの馬券の転売価格は、レースが進むに連れ、図6（a）に示すように1200円から図6（b）に示すように1500円に変動し、上記単勝方式10番の馬券の転売価格は、レースが進むに連れ、図6（a）に示すように650円から図6（b）に示すように660円に変動したことを示している。
【００７０】
転売される馬券を購入しようとする各ユーザは、レース前の様子や、レースの展開を見ながら、刻々と変化する転売価格を検討し、所望の購入希望価格の入力を行うこととなる。実際にレースが開始される前の締め切り時間経過後は、主催者側からそのレースの馬券を購入することはできないのであるが、この実施形態の馬券転売システムの場合、レースが開始されてからでも、レースが終了する（或いは終了直前）までの間は、所望の馬券（＝上記転売登録のされている馬券）を購入することが可能となる。さらに詳しくは、レース中の競争馬が最終コーナーを回ってからでも、所望の馬券を購入することが可能なのである。
【００７１】
次に、当該システム側のサーバ装置3は、レースが終了すると、各ユーザから送信される購入希望価格の受け付けを終了する。そして、上記転売価格計算部7において最終的に計算された転売価格と同じ購入希望価格の入力を行ったユーザに対して「馬券の購入に成功した旨」及び「馬券の転売をしたユーザの連絡先（住所、電話番号、電子メールアドレス等）」を電子メールで通知するとともに、馬券を転売したユーザに対して「馬券の転売が成立した旨」及び「この転売された馬券を購入したユーザの連絡先」を電子メールで通知する。
【００７２】
電子メールで通知を受けた各ユーザは互いに連絡を取り合い、例えば馬券を購入した側のユーザが、馬券を転売した側のユーザの銀行口座に上記購入希望価格の金銭を入金し、この入金が確認された際に、該馬券を転売した側のユーザから馬券を購入した側のユーザに対して馬券が郵送される等のかたちで馬券の受け渡しを行う。これにより、馬券の転売が完了する。なお、上記馬券を受け取ったユーザ（＝馬券を購入したユーザ）は、主催者側の払い戻し所に出向き、この受け取った馬券を換金することとなる。
【００７３】
（実施の形態の効果）
以上の説明から明らかなように、この実施の形態の馬券転売システムは、ユーザの端末装置2から一頭或いは複数頭の所望の競走馬を指定すると、当該システム側のサーバ装置3が、走行位置送信システム1で検出された各競走馬の走行位置及び各競争馬の固有番号のうち、上記指定された競争馬に対応する走行位置及び固有番号を送信する。そして、このシステム側のサーバ装置3から送信される上記指定を行った競走馬の走行位置及び固有番号を端末装置2で受信し、該指定した競走馬の走行位置を示す表示を行う。これにより、各ファンがそれぞれ希望する競走馬の走行位置を送信することができるため、各ファン毎に注目する競走馬が異なる場合でも、各ファンをそれぞれ満足させることが可能なレース中継を可能とすることができる。
【００７４】
また、当該システム側のサーバ装置3が、上記指定された競走馬のみならず、この指定された競走馬から所定の距離的範囲内を走行する競走馬の走行位置及び固有番号を送信し、上記端末装置2が、これら各競走馬の走行位置をそれぞれ示す表示を行う。これにより、各ファンが指定した競走馬の走行位置を中心として、この指定した競走馬の周囲に位置する競走馬の走行位置をも表示することができるため、各ファン毎に注目する競走馬を中心としたレース展開を認識させることができる。
【００７５】
また、当該システム側のサーバ装置3側で、「競走馬の走行路の画像」を形成して送信するとともに、「上記指定された競走馬の画像」、或いは「上記指定された競走馬の画像及び該指定された競走馬の周囲に位置する競走馬の画像」を形成し、この競走馬の画像を該競走馬の走行位置とともに送信する。そして、端末装置2側で、このサーバ装置3側から送信された走行路の画像を表示するとともに、上記指定した競走馬の走行位置、及び該指定した競走馬の周囲を走行する競走馬の走行位置にそれぞれ対応する上記走行路上の表示位置に、該各競走馬の画像を表示する。これにより、端末装置2側では、サーバ装置3から受信した各画像をそのまま表示するだけのため、当該端末装置2側における画像処理等の負担を大幅に軽減することができる。また、画像により、より分かり易いかたちで競走馬の走行位置を表示することができる。
【００７６】
また、上記端末装置2側で、上記競走馬の走行路の画像を形成して表示するとともに、上記サーバ装置3から受信した上記指定した競走馬の固有番号に基づいて該指定した競走馬の画像を形成し、この競走馬の画像を上記サーバ装置3から受信した走行位置に対応する上記走行路上の表示位置に表示する。
【００７７】
或いは、上記端末装置2側で、上記競走馬の走行路の画像を形成して表示するとともに、上記サーバ装置3から受信した上記指定した競走馬の固有番号に基づいて該指定した競走馬の画像、及び上記指定した競走馬から所定の距離的範囲内を走行する競走馬の固有番号に基づいて該競走馬の画像を形成し、これら各競走馬の画像を上記サーバ装置3から受信した各競走馬の走行位置に対応する上記走行路上の表示位置に表示する。この走行路及び競走馬の画像を表示することで、より分かり易いかたちで競走馬の走行位置を表示することができる。
【００７８】
また、この実施の形態の馬券転売システムは、主催者から購入した馬券の転売を希望するユーザは、当該システム側のサーバ装置3に対して馬券の転売登録を行う。レースが開始されると、走行位置送信システム1が、複数の競走馬の走行位置とともに、該各競走馬に対してそれぞれ固有に付された固有番号を検出し、当該システム側のサーバ装置3が、この走行位置送信システム1で検出された各競走馬の走行位置及び固有番号とともに、上記転売登録されている馬券を示す情報を各ユーザの端末装置2に送信する。
【００７９】
端末装置2側では、上記競走馬の走行路を表示手段に表示し、上記送信手段から送信された上記各競走馬の走行位置及び固有番号に基づいて、上記各競走馬の走行位置に対応する上記走行路上の表示位置に該各競走馬の走行位置を示す表示を行うとともに、上記転売登録されている馬券を示す表示を行う。
【００８０】
転売登録のなされている馬券の購入を希望するユーザは、上記競走馬が所定位置（ゴール或いはゴール前数メートル）まで走行する間に、上記転売登録がされている馬券のうち、購入を希望する馬券に対する購入希望金額を入力しサーバ装置3に送信する。
【００８１】
サーバ装置3の転売価格計算部7は、競走馬が所定の位置まで走行するまでの間、各ユーザの端末装置2から送信される購入希望金額の取り込みを行い、この取り込んだ上記購入希望金額と、この購入が希望されている馬券に対する競馬主催者側から発表されている予想配当（オッズ）とに基づいて、上記転売登録がされている馬券の転売価格をリアルタイムに計算し、この転売価格情報を端末装置2に送信する。
【００８２】
端末装置2は、この転売価格情報の表示をも行う。この転売価格情報は、リアルタイムに計算されて配信されるため、端末装置2で表示される転売価格情報は、レース進行に沿ってリアルタイムで変動することとなる。転売される馬券の購入を希望するユーザは、このリアルタイムで変動する転売価格情報を見ながら購入希望金額を調整して送信することとなる。
【００８３】
上記競走馬が所定の位置まで走行することで、サーバ装置3による上記購入希望金額の受け付けが打ち切られる。サーバ装置3は、上記転売価格計算部7において最終的に計算された転売価格を、その馬券を転売するユーザ及びその馬券を購入するユーザに対して通知する。これにより、レース進行に沿ってリアルタイムに馬券の転売を可能とすることができる。
【産業上の利用可能性】
【００８４】
本発明に係る走行位置送信システム及び方法によれば、各ファン毎に注目する競走馬や選手を中心としたレース中継を行うことができる。また、本発明に係る投票券転売システム及び方法では、レース進行に沿ってリアルタイムに投票券の転売を可能とすることができる。
【符号の説明】
【００８５】
1…走行位置送信システム
2…端末装置
3…サーバ装置
4…銀行サーバ装置
5…ネットワーク
6…データベース
7…転売価格計算部
8…データベース
21…固有番号発信機
22…トリガー信号発生機
22a…信号発信機
22b…ループアンテナ
22c…ポスト
23…信号受信機
23a…受信用アンテナ
23b…計測処理部
30…受信用アンテナ
31…低周波増幅回路
32…駆動回路
33…固有番号記憶部
34…シフトレジスタ
35…高周波発振回路
36…出力回路
37…ANDゲート
38…送信アンテナ
40…CPU
41…タイマ
42…データ識別部
43…計測位置識別部
44…メモリ
45…制御用パーソナルコンピュータ
【図１】
0004824103.tif 000002
【図２】
0004824103.tif 000003
【図３】
0004824103.tif 000004
【図４】
0004824103.tif 000005
【図５】
0004824103.tif 000006
【図６】
0004824103.tif 000007
【図７】
0004824103.tif 000008